(57)【要約】【課題】  恰も自国で操作するのと同じ操作によって、ユーザが渡航先で携帯電話機を用いることができるようにする。【解決手段】  携帯電話機１０は、端末電話番号を情報管理サーバ４０に送信する。使用言語特定部４２は、情報受信部４１が受信した端末電話番号にもとづいて、携帯電話１０に係るサービス地域（本国）を特定する。また、使用言語特定部４２は、サービス地域にもとづいて、ユーザの使用言語を特定する。変換情報抽出部４６は、使用言語特定部４２が特定したサービス地域に対応する変換情報を、変換情報データベース４５から抽出する。そして、情報送信部４７は、変換情報抽出部４６が抽出した変換情報を携帯電話機１０に送信する。また、携帯電話機１０は、受信した変換情報にもとづいて、サービス地域における電話番号を渡航先の公共サービス機関の電話番号に変換して発呼する。【選択図】  図２
2005328227.tif 000002
【特許請求の範囲】
【請求項１】
携帯電話機に対して接続サービスを提供する携帯電話会社が接続サービスを行っている国または地域であるサービス地域とは異なる国または地域である非サービス地域で携帯電話機に対して所定のサービスを提供する携帯電話サービス提供システムであって、
前記サービス地域で携帯電話機を用いて扱う情報を前記非サービス地域で携帯電話機を用いて扱える情報に変換するための変換データを、予め複数蓄積する変換情報記憶手段と、
前記携帯電話機から受信する固有の電話番号にもとづいて、前記サービス地域を特定する地域特定手段と、
前記地域特定手段が特定したサービス地域にもとづいて、前記変換情報記憶手段から、前記サービス地域で携帯電話機を用いて扱う情報を前記非サービス地域で携帯電話機を用いて扱える情報に変換するための変換データを抽出する変換情報抽出手段と、
前記変換情報抽出手段が抽出した変換データを前記携帯電話機に送信する変換情報送信手段とを含む情報管理装置を備えた
ことを特徴とする携帯電話サービス提供システム。
【請求項２】
変換情報記憶手段は、非サービス地域での公共サービス機関の電話番号とサービス地域での公共サービス機関の電話番号とを対応付けた番号変換テーブルを予め複数蓄積し、
変換情報抽出手段は、前記変換情報記憶手段から、非サービス地域での公共サービス機関の電話番号とサービス地域での公共サービス機関の電話番号とを対応付けた番号変換テーブルを抽出し、
変換情報送信手段は、前記変換情報抽出手段が抽出した番号変換テーブルを携帯電話機に送信し、
前記携帯電話機は、サービス地域での公共サービス機関の電話番号が入力されると、情報管理装置から受信した番号変換テーブルにもとづいて、前記入力された電話番号を非サービス地域での公共サービス機関の電話番号に変換する
請求項１記載の携帯電話サービス提供システム。
【請求項３】
変換情報記憶手段は、非サービス地域とサービス地域との間の為替レートを示す通貨レート情報を予め複数蓄積し、
変換情報抽出手段は、前記変換情報記憶手段から、非サービス地域とサービス地域との間の通貨レート情報を抽出し、
変換情報送信手段は、前記変換情報抽出手段が抽出した通貨レート情報を携帯電話機に送信し、
前記携帯電話機は、情報管理装置から受信した通貨レート情報にもとづいて、入力した金額を変換する
請求項１または請求項２記載の携帯電話サービス提供システム。
【請求項４】
変換情報記憶手段は、非サービス地域の現地時間を示す情報を記憶し、
変換情報抽出手段は、前記変換情報記憶手段から前記現地時間を示す情報を抽出し、
変換情報送信手段は、前記変換情報抽出手段が抽出した現地時間を示す情報を携帯電話機に送信し、
前記携帯電話機は、情報管理装置から受信した現地時間を示す情報にもとづいて、前記携帯電話機が有する時計の時刻を設定する
請求項１から請求項３のうちのいずれか１項に記載の携帯電話サービス提供システム。
【請求項５】
携帯電話機からＷｅｂページの送信要求を受信すると、前記携帯電話機のユーザが使用する言語の検索を前記情報管理装置に依頼する検索依頼手段と、
前記情報管理装置から受信した検索結果にもとづいてユーザが使用する言語で記載されたＷｅｂページの情報を選択し、選択したＷｅｂページの情報を前記携帯電話機に送信するＷｅｂ情報送信手段とを含むＷｅｂサーバを備え、
前記情報管理装置は、前記Ｗｅｂサーバからの検索依頼に応じて、前記携帯電話機のユーザの使用言語を検索する検索手段を含む
請求項１から請求項４のうちのいずれか１項に記載の携帯電話サービス提供システム。
【請求項６】
地域特定手段は、携帯電話機から受信した電話番号がいずれのサービス地域の電話番号体系に従った電話番号であるかを判断することによってサービス地域を特定する請求項１から請求項５のうちのいずれか１項に記載の携帯電話サービス提供システム。
【請求項７】
携帯電話機は、当該携帯電話機のＩＰアドレスを情報管理装置に送信し、
地域特定手段は、前記携帯電話機から受信したＩＰアドレスにもとづいて契約地域を特定する
請求項１から請求項６のうちのいずれか１項に記載の携帯電話サービス提供システム。
【請求項８】
携帯電話機に対して接続サービスを提供する携帯電話会社が接続サービスを行っている国または地域であるサービス地域とは異なる国または地域である非サービス地域で携帯電話機に対して所定のサービスを提供する携帯電話サービス提供方法であって、
携帯電話機が、固有の電話番号を、前記非サービス地域に設置されている情報管理装置に送信するステップと、
前記情報管理装置が、前記サービス地域で携帯電話機を用いて扱う情報を前記非サービス地域で扱える情報に変換するための変換データを、変換情報記憶手段に予め複数蓄積するステップと、
前記情報管理装置が、前記携帯電話機から受信した電話番号にもとづいて、前記携帯電話機に係るサービス地域を特定するステップと、
前記情報管理装置が、特定されたサービス地域に対応する変換データを、前記変換情報記憶手段から抽出するステップと、
前記情報管理装置が、抽出された変換データを前記携帯電話機に送信するステップと
を含むことを特徴とする携帯電話サービス提供方法。
【請求項９】
携帯電話機に対して接続サービスを提供する携帯電話会社が接続サービスを行っている国または地域であるサービス地域で携帯電話機を用いて扱う情報を、前記サービス地域とは異なる国または地域である非サービス地域で扱える情報に変換するための変換データを、予め複数蓄積する記憶手段を備えたコンピュータに、
前記携帯電話機から受信した固有の電話番号にもとづいて、前記携帯電話機に係るサービス地域を特定する処理と、
前記特定したサービス地域に対応する変換データを、前記記憶手段から抽出する処理と、
前記抽出した変換データを前記携帯電話機に送信する処理と
を実行させるための携帯電話サービス提供プログラム。
【発明の詳細な説明】
【技術分野】
【０００１】
本発明は、海外で使用できる携帯電話機のユーザに現地の時間情報や通貨レートの変換情報、公共サービス機関の電話番号の変換情報を提供する携帯電話サービス提供システム、携帯電話サービス提供方法および携帯電話サービス提供プログラムに関する。
【背景技術】
【０００２】
日本国内で使用している携帯電話機をそのまま海外に持ち出して使用できる携帯電話のローミングサービスが提供されている。また、海外専用の携帯電話機を用いて、日本国内と同じ電話番号を海外でも使用できる携帯電話サービスが提供されている。
【０００３】
また、特許文献１には、検出した位置情報にもとづいて、メモリに設定している特定番号や時間帯、国際電話コード、旅行会話文を変換できる衛星携帯電話機が記載されている。また、特許文献２には、他地域にダイヤルする際に、受信者の電話番号の前に国際電話識別コードおよび国コードを自動的に付加できる携帯電話のダイヤル方法が記載されている。
【０００４】
【特許文献１】特開２０００−２６１５７３号公報（段落００４０−００５１、図２−３）
【特許文献２】特開２００３−８７３９１号公報（段落０００８−００１０、図２）
【発明の開示】
【発明が解決しようとする課題】
【０００５】
日本国内で使用している携帯電話機をそのまま海外で使用できる場合や、日本国内と同じ電話番号を海外で使用できる場合であっても、渡航先の国で公共サービスの提供をうけるためには、渡航先での公共サービス機関の電話番号を予め調べておかなければならない。そのため、ユーザの手間がかかる。例えば、ユーザは、渡航先の警察や救急機関、大使館などの電話番号を予め調べておかなければならない。
【０００６】
特許文献１に記載された衛星携帯電話機を用いれば、位置情報にもとづいて特定電話番号を自動変換するので、ユーザが渡航先の公共サービス機関の電話番号を予め調べる必要がなくなる。そのため、ユーザの手間をある程度軽減することができる。しかし、ユーザは、日本国内と同様の操作によって警察や救急機関などに電話をかけることはできない。また、特許文献２に記載された携帯電話のダイヤル方法を用いれば、ユーザが海外に電話をかける場合の操作の手間を軽減することができるが、渡航先で日本国内と同様の操作によって電話をかけることはできない。
【０００７】
また、ユーザは、渡航先で携帯電話機を用いてＧＰＳによる地図案内サービスの提供を受けたり、ブラウザフォンとしての機能を備えた携帯電話機を用いて渡航先の携帯電話会社が提供するＷｅｂサービスを利用する場合がある。しかし、ユーザは、地図案内サービスやＷｅｂサービスの提供サイトにアクセスするごとに、日本語（母国語）で記載されたＷｅｂページを自分で選択しなければならず、ユーザの手間が大きい。
【０００８】
また、携帯電話機が備える時計を渡航先の現地時間に自分で設定しなければならず、時計の時刻設定にかかるユーザの手間が大きい。さらに、ユーザは、渡航先で携帯電話機を用いて電子マネーによる購入商品などの決済を行う場合がある。しかし、ユーザは渡航先の通貨レート考慮して自分で決済金額を求めて買い物を行わなければならず、ユーザの手間が大きい。
【０００９】
そこで、本発明は、恰も自国で操作するのと同じ操作によって、ユーザが渡航先で携帯電話機を用いることができる携帯電話サービス提供システム、携帯電話サービス提供方法および携帯電話サービス提供プログラムを提供することを目的とする。
【課題を解決するための手段】
【００１０】
本発明による携帯電話サービス提供システムは、携帯電話機に対して接続サービスを提供する携帯電話会社が接続サービスを行っている国または地域であるサービス地域とは異なる国または地域である非サービス地域で携帯電話機に対して所定のサービスを提供する携帯電話サービス提供システムであって、サービス地域で携帯電話機を用いて扱う情報を非サービス地域で携帯電話機を用いて扱える情報に変換するための変換データを、予め複数蓄積する変換情報記憶手段と、携帯電話機から受信する固有の電話番号にもとづいて、サービス地域を特定する地域特定手段と、地域特定手段が特定したサービス地域にもとづいて、変換情報記憶手段から、サービス地域で携帯電話機を用いて扱う情報を非サービス地域で携帯電話機を用いて扱える情報に変換するための変換データを抽出する変換情報抽出手段と、変換情報抽出手段が抽出した変換データを携帯電話機に送信する変換情報送信手段とを含む情報管理装置を備えたことを特徴とする。
【００１１】
また、変換情報記憶手段は、非サービス地域での公共サービス機関の電話番号とサービス地域での公共サービス機関の電話番号とを対応付けた番号変換テーブルを予め複数蓄積し、変換情報抽出手段は、変換情報記憶手段から、非サービス地域での公共サービス機関の電話番号とサービス地域での公共サービス機関の電話番号とを対応付けた番号変換テーブルを抽出し、変換情報送信手段は、変換情報抽出手段が抽出した番号変換テーブルを携帯電話機に送信し、携帯電話機は、サービス地域での公共サービス機関の電話番号が入力されると、情報管理装置から受信した番号変換テーブルにもとづいて、入力された電話番号を非サービス地域での公共サービス機関の電話番号に変換するものであってもよい。そのような構成によれば、恰も自国での公共サービス機関の電話番号と同じ電話番号を用いて、ユーザが渡航先で公共サービス機関に電話をかけることができる。
【００１２】
また、変換情報記憶手段は、非サービス地域とサービス地域との間の為替レートを示す通貨レート情報を予め複数蓄積し、変換情報抽出手段は、変換情報記憶手段から、非サービス地域とサービス地域との間の通貨レート情報を抽出し、変換情報送信手段は、変換情報抽出手段が抽出した通貨レート情報を携帯電話機に送信し、携帯電話機は、情報管理装置から受信した通貨レート情報にもとづいて、入力した金額を変換するものであってもよい。
【００１３】
また、変換情報記憶手段は、非サービス地域の現地時間を示す情報を記憶し、変換情報抽出手段は、変換情報記憶手段から現地時間を示す情報を抽出し、変換情報送信手段は、変換情報抽出手段が抽出した現地時間を示す情報を携帯電話機に送信し、携帯電話機は、情報管理装置から受信した現地時間を示す情報にもとづいて、携帯電話機が有する時計の時刻を設定するものであってもよい。
【００１４】
また、携帯電話サービス提供システムは、携帯電話機からＷｅｂページの送信要求を受信すると、携帯電話機のユーザが使用する言語の検索を情報管理装置に依頼する検索依頼手段と、情報管理装置から受信した検索結果にもとづいてユーザが使用する言語で記載されたＷｅｂページの情報を選択し、選択したＷｅｂページの情報を携帯電話機に送信するＷｅｂ情報送信手段とを含むＷｅｂサーバを備え、情報管理装置は、Ｗｅｂサーバからの検索依頼に応じて、携帯電話機のユーザの使用言語を検索する検索手段を含むものであってもよい。そのような構成によれば、ユーザが自国の言語で記載されたＷｅｂページを選択する操作を行わなくても、渡航先で携帯電話会社が提供するＷｅｂサービスを利用することができる。従って、渡航先でＷｅｂサービスを利用する際のユーザの手間を軽減することができる。
【００１５】
また、地域特定手段は、携帯電話機から受信した電話番号がいずれのサービス地域の電話番号体系に従った電話番号であるかを判断することによってサービス地域を特定するものであってもよい。
【００１６】
また、携帯電話機は、携帯電話機のＩＰアドレスを情報管理装置に送信し、地域特定手段は、携帯電話機から受信したＩＰアドレスにもとづいて契約地域を特定するものであってもよい。そのような構成によれば、移動型ＩＰ電話機を用いる場合であっても、恰も自国で操作するのと同じ操作によって、ユーザが渡航先で携帯電話機を用いることができる。
【００１７】
本発明による携帯電話サービス提供方法は、携帯電話機に対して接続サービスを提供する携帯電話会社が接続サービスを行っている国または地域であるサービス地域とは異なる国または地域である非サービス地域で携帯電話機に対して所定のサービスを提供する携帯電話サービス提供方法であって、携帯電話機が、固有の電話番号を、非サービス地域に設置されている情報管理装置に送信するステップと、情報管理装置が、サービス地域で携帯電話機を用いて扱う情報を非サービス地域で扱える情報に変換するための変換データを、変換情報記憶手段に予め複数蓄積するステップと、情報管理装置が、携帯電話機から受信した電話番号にもとづいて、携帯電話機に係るサービス地域を特定するステップと、情報管理装置が、特定されたサービス地域に対応する変換データを、変換情報記憶手段から抽出するステップと、情報管理装置が、抽出された変換データを携帯電話機に送信するステップとを含むことを特徴とする。
【００１８】
本発明による携帯電話サービス提供プログラムは、携帯電話機に対して接続サービスを提供する携帯電話会社が接続サービスを行っている国または地域であるサービス地域で携帯電話機を用いて扱う情報を、サービス地域とは異なる国または地域である非サービス地域で扱える情報に変換するための変換データを、予め複数蓄積する記憶手段を備えたコンピュータに、携帯電話機から受信した固有の電話番号にもとづいて、携帯電話機に係るサービス地域を特定する処理と、特定したサービス地域に対応する変換データを、記憶手段から抽出する処理と、抽出した変換データを携帯電話機に送信する処理とを実行させることを特徴とする。
【発明の効果】
【００１９】
本発明によれば、携帯電話機から受信した固有の電話番号にもとづいてサービス地域を特定する。そして、特定したサービス地域に対応する変換データを抽出して携帯電話機に自動送信する。従って、変換データの提供を受けることによって、恰も自国で操作するのと同じ操作によって、ユーザが渡航先で携帯電話機を用いることができる。
【発明を実施するための最良の形態】
【００２０】
実施の形態１．
以下、本発明の第１の実施の形態を図面を参照して説明する。図１は、本発明による携帯電話サービス提供システムを適用した渡航先での携帯電話機の使用環境の一例を示す説明図である。図１に示すように、携帯電話サービス提供システムを適用した携帯電話機の使用環境には、ユーザが使用する携帯電話機１０と、渡航先の携帯電話会社が備える無線基地局２０および交換局３０とが含まれる。なお、本実施の形態では、携帯電話機に対して接続サービスを提供する携帯電話会社すなわちユーザの使用料金支払先である携帯電話会社が接続サービスを行っている国または地域をサービス地域という。
【００２１】
携帯電話機１０は、例えば、海外でのローミングサービス対応型の端末であり、サービス地域内（例えば、日本国内）で通話に使用できるとともに、非サービス地域（例えば、海外の渡航先）でも通話に使用できる機能を備える。例えば、サービス地域の携帯電話会社は非サービス地域の携帯電話会社と提携している。ユーザは、サービス地域で使用している携帯電話機１０をそのまま非サービス地域（例えば、海外）に持ち出して、非サービス地域の携帯電話会社（例えば、渡航先の携帯電話会社）の携帯電話サービス提供地域で携帯電話機１０を使用できる。
【００２２】
携帯電話機１０は、非サービス地域に設置されている無線基地局２０と無線信号を送受信する機能を備える。また、携帯電話機１０は、無線基地局２０の無線エリア内に入ると、携帯電話機１０の固有情報（以下、端末固有情報という）を無線基地局２０に送信する機能を備える。例えば、携帯電話機１０は、ＧＰＳ機能を備え、携帯電話機１０の位置情報を含む端末固有情報を送信する機能を備える。また、携帯電話機１０は、無線基地局２０に端末固有情報を送信する際に、携帯電話機１０の固有の電話番号（以下、端末電話番号という）を端末固有情報とともに無線基地局２０に送信する機能を備える。
【００２３】
また、携帯電話機１０は、携帯電話機１０が備える時計の時刻を自動設定する機能を備える。本実施の形態では、携帯電話機１０は、後述する標準時情報を無線基地局２０を介して情報管理装置としての情報管理サーバ４０から受信し、受信した時間帯情報にもとづいて時計の時刻を自動設定する。また、携帯電話機１０は、後述する通貨レート情報を無線基地局２０を介して情報管理サーバ４０から受信し、受信した通貨レート情報にもとづいて入力した金額を自動変換する機能を備える。
【００２４】
また、携帯電話機１０は、ユーザの操作に従ってサービス地域における公共サービス機関の電話番号を入力すると、入力した電話番号を非サービス地域における公共サービス機関の電話番号に変換する機能を備える。本実施の形態では、携帯電話機１０は、後述する変換テーブルを無線基地局２０を介して情報管理サーバ４０から受信し、受信した変換テーブルにもとづいて電話番号を自動変換する。また、携帯電話機１０は、変換した電話番号にもとづいて発呼する機能を備える。
【００２５】
交換局３０には、非サービス地域の携帯電話会社が運営する情報管理サーバ４０およびＷｅｂサービス提供サーバ５０が設置される。なお、情報管理サーバ４０やＷｅｂサービス提供サーバ５０は、交換局３０に限らず、例えば、非サービス地域の携帯電話会社が備える情報処理センタなどに設置されていてもよい。
【００２６】
Ｗｅｂサービス提供サーバ（Ｗｅｂサーバ）５０は、携帯電話機１０からのアクセスに応じて、非サービス地域の携帯電話会社が提供する各種Ｗｅｂページの情報を携帯電話機１０に送信する機能を備える。例えば、Ｗｅｂサービス提供サーバ５０は、渡航先で受けられるサービスや渡航先で通話した場合の通話料金の情報を含むＷｅｂページの情報を携帯電話機１０に送信する。また、例えば、Ｗｅｂサービス提供サーバ５０は、ＧＰＳにもとづく地図案内の情報を含むＷｅｂページの情報を携帯電話機１０に送信する。
【００２７】
また、非サービス地域に設置されているＷｅｂサービス提供サーバ５０は、同じ内容の情報をそれぞれ異なる言語で記載したＷｅｂページの情報を、データベースに予め複数蓄積している。例えば、Ｗｅｂサービス提供サーバ５０は、通話料金の情報を日本語で記載したＷｅｂページの情報を蓄積しているとともに、同じ通話料金の情報を英語で記載したＷｅｂページの情報を蓄積している。
【００２８】
図２は、非サービス地域に設置されている情報管理サーバ４０の構成の一例を示すブロック図である。図２に示すように、情報管理サーバ４０は、情報受信部４１、使用言語特定部４２、情報検索部４３、登録情報データベース４４、変換情報データベース４５、変換情報抽出部４６および情報送信部４７を含む。
【００２９】
情報受信部４１は、具体的には、情報管理サーバ４０のＣＰＵおよびネットワークインタフェース部（以上、図示せず）によって実現される。情報受信部４１は、無線基地局２０を介して、携帯電話機１０から端末電話番号および端末固有情報を受信する機能を備える。
【００３０】
使用言語特定部４２は、具体的には、情報管理サーバ４０のＣＰＵによって実現される。使用言語特定部４２は、情報受信部４１が受信した端末電話番号にもとづいて、携帯電話機１０に係るサービス地域（例えば、日本）すなわち携帯電話機１０に対して接続サービスを提供する携帯電話会社が接続サービスを行っている国または地域を特定する機能を備える。また、使用言語特定部４２は、特定したサービス地域にもとづいて、携帯電話機１０のユーザが使用する言語を特定する機能を備える。例えば、使用言語特定部４２は、特定したサービス地域が日本である場合、ユーザが使用する言語を日本語と特定する。
【００３１】
また、使用言語特定部４２は、特定した携帯電話機１０に係るサービス地域を示すサービス地域情報、および特定したユーザが使用する言語を示すユーザ使用言語情報を登録情報データベース４４に記憶させる機能を備える。また、使用言語特定部４２は、情報受信部４１が受信した端末電話番号および端末固有情報を登録情報データベース４４に記憶させる機能を備える。
【００３２】
登録情報データベース４４は、具体的には、情報管理サーバ４０のデータベース装置によって実現される。登録情報データベース４４は、端末電話番号、端末固有情報、サービス地域情報とユーザ使用言語情報とを対応付けて記憶する。また、登録情報データベース４４は、ユーザが非サービス地域で携帯電話サービスを利用した分の課金情報を記憶する。
【００３３】
情報検索部４３は、具体的には、情報管理サーバ４０のＣＰＵおよびネットワークインタフェース部によって実現される。情報検索部４３は、Ｗｅｂサービス提供サーバ５０からの検索依頼に応じて、携帯電話機１０のユーザの使用言語を検索する機能を備える。本実施の形態では、情報検索部４３は、Ｗｅｂサービス提供サーバ５０から受信した端末電話番号をキーとして登録情報データベース４４を検索する。そして、情報検索部４３は、端末電話番号に対応するユーザ使用言語情報を登録情報データベース４４から抽出し、Ｗｅｂサービス提供サーバ５０に送信する。
【００３４】
変換情報データベース４５は、具体的には、情報管理サーバ４０のデータベース装置によって実現される。変換情報データベース４５は、サービス地域で携帯電話機１０を用いて扱う情報を非サービス地域で携帯電話機１０を用いて扱える情報に変換するための変換情報（変換データ）を予め複数蓄積している。例えば、変換情報データベース４５が存在する地域が南アフリカ共和国であるならば、南アフリカ共和国以外の各国（携帯電話機１０を持ち込んだ人の居住国、すなわち、携帯電話機１０に係るサービス地域に応じて、それぞれがサービス地域になりうる。）毎の変換情報を蓄積している。
【００３５】
例えば、変換情報データベース４５は、変換情報として、非サービス地域とサービス地域の国との間の為替レートを示す通貨レート情報を、それぞれのサービス地域の国ごとに予め複数記憶している。例えば、その地域の国が南アフリカ共和国である場合、変換情報データベース４５は、南アフリカ共和国と日本国との間の通貨レート情報や、南アフリカ共和国とアメリカ合衆国との間の通貨レート情報などを予め記憶している。なお、それぞれのサービス地域は、例えば、非サービス地域の国としての南アフリカ共和国に対して、南アフリカ共和国以外の地域である。
【００３６】
また、例えば、変換情報データベース４５は、変換情報として、その地域の公共サービス機関の電話番号とそれぞれのサービス地域の国の公共サービス機関の電話番号とを対応付けた変換テーブル（番号変換テーブル）を、それぞれのサービス地域の国ごとに予め複数記憶している。例えば、その地域の国が南アフリカ共和国である場合、変換情報データベース４５は、南アフリカ共和国と日本国との公共サービス機関の電話番号を対応付けた変換テーブルや、南アフリカ共和国とアメリカ合衆国との公共サービス機関の電話番号を対応付けた変換テーブルなどを予め記憶している。また、変換情報データベース４５には、その地域（すなわち非サービス地域）の標準時（現地時間）を示す標準時情報も予め記憶されている。
【００３７】
図３は、変換情報データベース４５が記憶する変換テーブルの一例を示す説明図である。本例では、南アフリカ共和国と日本国との公共サービス機関の電話番号（警察や救急車の緊急連絡の番号など）を対応付けた変換テーブルの場合を説明する。図３に示すように、変換テーブルには、サービス地域（本例では、日本国）での公共サービス機関の電話番号であるサービス地域番号情報３１と、非サービス地域（本例では、南アフリカ共和国）での公共サービス機関の電話番号である使用国番号情報３２とが対応付けて設定されている。図３に示すように、例えば、日本国での警察への緊急連絡の電話番号である「１１０」と、南アフリカ共和国での警察への緊急連絡の電話番号である「１０１１１」とが対応付けて設定されている。
【００３８】
変換情報抽出部４６は、具体的には、情報管理サーバ４０のＣＰＵによって実現される。変換情報抽出部４６は、使用言語特定部４２からのサービス地域情報にもとづいて、変換情報データベース４５から、携帯電話機１０に係るサービス地域に対応する変換情報を抽出する。本実施の形態では、変換情報抽出部４６は、変換情報データベース４５から、標準時情報を抽出する。また、変換情報抽出部４６は、サービス地域情報にもとづいて、変換情報データベース４５からサービス地域と非サービス地域との間の通貨レート情報を抽出する。また、変換情報抽出部４６は、サービス地域情報にもとづいて、変換情報データベース４５からサービス地域と非サービス地域との公共サービス機関の電話番号を対応付けた変換テーブルを抽出する。
【００３９】
情報送信部４７は、具体的には、情報管理サーバ４０のＣＰＵおよびネットワークインタフェース部によって実現される。情報送信部４７は、変換情報抽出部４６が抽出した変換情報を、無線基地局２０を介して携帯電話機１０に送信する機能を備える。
【００４０】
本実施の形態において、変換情報記憶手段は、変換情報データベース４５によって実現される。地域特定手段は、使用言語特定部４２によって実現される。変換情報抽出手段は、変換情報抽出部４６によって実現される。変換情報送信手段は、情報送信部４７によって実現される。検索手段は、情報検索部４３によって実現される。検索依頼手段およびＷｅｂ情報送信手段は、Ｗｅｂサービス提供サーバ５０のＣＰＵおよびネットワークインタフェース部（以上、図示せず）によって実現される。
【００４１】
また、本実施の形態において、情報管理サーバ４０の記憶装置（図示せず）は、携帯電話機１０に非サービス地域での変換データを提供する処理を実行させるための各種プログラムを記憶している。例えば、情報管理サーバ４０の記憶装置は、コンピュータに、携帯電話機から受信した固有の電話番号にもとづいて、携帯電話機に係るサービス地域を特定する処理と、特定したサービス地域に対応する変換データを、記憶手段から抽出する処理と、抽出した変換データを携帯電話機に送信する処理とを実行させるための携帯電話サービス提供プログラムを記憶している。
【００４２】
次に、動作について説明する。図４は、情報管理サーバ４０が携帯電話機１０に変換情報を送信する情報送信処理、および携帯電話機１０が変換情報にもとづいて各種設定や変換を行う設定変換処理の一例を示す流れ図である。まず、情報管理サーバ４０が携帯電話機１０に変換情報を送信する動作を説明する。
【００４３】
携帯電話機１０は、無線基地局２０の無線エリア内に入ると、端末電話番号および端末固有情報を、無線基地局２０を介して情報管理サーバ４０に送信する（ステップＳ１１）。例えば、ユーザがサービス地域から非サービス地域に移動して携帯電話機１０の電源を入れると、携帯電話機１０は、端末電話番号および端末固有情報を情報管理サーバ４０に送信する。
【００４４】
情報管理サーバ４０の情報受信部４１は、無線基地局２０を介して、端末電話番号および端末固有情報を受信する。使用言語特定部４２は、端末電話番号にもとづいて携帯電話機１０に係るサービス地域を特定する。また、使用言語特定部４２は、特定したサービス地域にもとづいてユーザの使用言語を特定する（ステップＳ１２）。
【００４５】
ステップＳ１２において、使用言語特定部４２は、例えば、端末電話番号がいずれの国の携帯電話サービスの番号体系に従った番号であるかを判断する。例えば、端末電話番号が「０９０ｘｘｘｘｘｘｘｘ」であるとすると、使用言語特定部４２は、電話番号の桁数や最初の「０９０」にもとづいて、日本国の携帯電話サービスの番号体系に従った番号であると判断する。そして、使用言語特定部４２は、携帯電話機１０に係るサービス地域を日本国と特定し、ユーザの使用言語を日本語と特定する。
【００４６】
また、情報管理サーバ４０は、各ユーザの電話番号、サービス地域および使用言語の情報を予め登録情報データベース４４に記憶していてもよい。例えば、サービス地域と非サービス地域の携帯電話会社が提携している場合や、携帯電話会社が国際展開しサービス地域および非サービス地域の両方で携帯電話サービスを提供している場合、ユーザが携帯電話サービスの利用契約をする際にこれらの情報を予め登録情報データベース４４に登録していてもよい。この場合、使用言語特定部４２は、端末電話番号をキーとして登録情報データベース４４を検索し、携帯電話機１０に係るサービス地域および使用言語を特定する。
【００４７】
また、携帯電話機１０は、情報管理サーバ４０に端末電話番号を送信する際に、サービス地域の国コードを付加した端末電話番号を送信してもよい。この場合、使用言語特定部４２は、端末電話番号から国コードを抽出し、抽出した国コードにもとづいて携帯電話機１０に係るサービス地域を特定する。例えば、使用言語特定部４２は、抽出した国コード「８１」にもとづいてサービス地域を日本国と特定し、ユーザの使用言語を日本語と特定する。
【００４８】
なお、サービス地域の言語がユーザの母国語と異なる場合、ユーザの登録操作に従ってユーザの使用言語を登録情報データベース４４に登録できるようにしてもよい。この場合、携帯電話機１０は、ユーザの操作に従って、使用言語の情報を無線基地局２０を介して情報管理サーバ４０に送信する。そして、情報管理サーバ４０は、受信した使用言語の情報を登録情報データベース４４に記憶させる。
【００４９】
使用言語特定部４２は、サービス地域情報およびユーザ使用言語情報と、情報受信部４１からの端末電話番号および端末固有情報とを登録情報データベース４４に登録する（ステップＳ１３）。この場合、使用言語特定部４２は、端末電話番号、端末固有情報、サービス地域情報およびユーザ使用言語情報を対応付けて登録情報データベース４４に記憶させる。
【００５０】
また、変換情報抽出部４６は、使用言語特定部４２からのサービス地域情報にもとづいて、サービス地域に対応する変換情報を変換情報データベース４５から抽出する（ステップＳ１４）。この場合、変換情報抽出部４６は、標準時情報とサービス地域に対応する通貨レート情報および変換テーブルとを、変換情報データベース４５から抽出する。そして、情報送信部４７は、変換情報抽出部４６が抽出した変換情報を、無線基地局２０を介して携帯電話機１０に送信する（ステップＳ１５）。変換情報を受信すると、携帯電話機１０は、受信した標準時情報、通貨レート情報および変換テーブルを記憶部（図示せず）に保存する。
【００５１】
以上のように、ステップＳ１１からステップＳ１６までの処理が実行されることによって、非サービス地域での変換情報が携帯電話機１０に送信される。
【００５２】
次に、携帯電話機１０が変換情報にもとづいて各種設定や変換を行う動作を説明する。携帯電話機１０は、情報管理サーバ４０から受信した標準時情報にもとづいて、携帯電話機１０が備える時計の時刻を設定する（ステップＳ１６）。すなわち、携帯電話機１０は、標準時情報にもとづいて、時計を非サービス地域の時刻に自動設定する。
【００５３】
また、ユーザによってサービス地域での公共サービス機関の電話番号の入力操作がなされると（ステップＳ１７）、携帯電話機１０は、保存する変換テーブルにもとづいて、サービス地域での電話番号を非サービス地域での電話番号に変換する。そして、携帯電話機１０は、変換した電話番号にもとづいて、非サービス地域の公共サービス機関に発呼する（ステップＳ１８）。
【００５４】
例えば、ユーザの自国すなわち携帯電話機１０に係るサービス地域が日本国であり、ユーザが存在している国（すなわち、サービス地域）が南アフリカ共和国である場合を説明する。例えば、警察への緊急連絡を行う場合、携帯電話機１０は、ユーザの操作に従って、サービス地域としての日本国での警察への緊急連絡先番号である「１１０」を入力する。携帯電話機１０は、図３に示す変換テーブルにもとづいて、入力された電話番号「１１０」を「１０１１１」に変換する。そして、携帯電話機１０は、変換した電話番号「１０１１１」にもとづいて、南アフリカ共和国の警察の緊急連絡先機関に発呼する。
【００５５】
また、例えば、非サービス地域で電子マネーによる決済を行う場合、ユーザがサービス地域での通貨の決済金額を入力すると、携帯電話機１０は、保存する通貨レート情報にもとづいて、入力された決済金額を非サービス地域での通貨の金額に変換する。そして、携帯電話機１０は、変換した決済金額にもとづいて、決済処理サーバに決済依頼を行うなどの処理を実行する。
【００５６】
以上のように、ステップＳ１６の処理が実行されることによって、携帯電話機１０が備える時計がユーザが存在している国の時刻に自動設定される。また、ステップＳ１７およびステップＳ１８の処理が実行されることによって、ユーザがサービス地域にいる場合と同一の操作を行えば、携帯電話機１０が電話番号を自動変換してユーザが存在している国の公共サービス機関に発呼する。また、ユーザが自国での通貨の金額の入力操作をすると、携帯電話機１０がユーザが存在している国での通貨の金額に自動変換する。
【００５７】
次に、携帯電話機１０が非サービス地域の携帯電話会社のＷｅｂサイトにアクセスした場合の動作を説明する。図５は、携帯電話機１０からアクセスされた場合にＷｅｂページの情報を携帯電話機１０に送信する処理の一例を示す流れ図である。
【００５８】
携帯電話機１０は、ユーザの操作に従って、非サービス地域の携帯電話会社のＷｅｂサイトのメニューの画面情報の送信要求（以下、Ｗｅｂメニュー要求という）を、無線基地局２０を介してＷｅｂサービス提供サーバ５０に送信する。また、携帯電話機１０は、Ｗｅｂメニュー要求とともに端末電話番号をＷｅｂサービス提供サーバ５０に送信する（ステップＳ２１）。
【００５９】
Ｗｅｂメニュー要求および端末電話番号を受信すると、Ｗｅｂサービス提供サーバ５０は、端末電話番号を情報管理サーバ４０に送信し、携帯電話機１０のユーザの使用言語の検索を情報管理サーバ４０に依頼する（ステップＳ２２）。
【００６０】
情報管理サーバ４０の情報検索部４３は、受信した端末電話番号をキーとして登録情報データベース４４を検索し、端末電話番号に対応するユーザ使用言語情報を抽出する（ステップＳ２３）。そして、情報検索部４３は、抽出したユーザ使用言語情報をＷｅｂサービス提供サーバ５０に送信する（ステップＳ２４）。
【００６１】
Ｗｅｂサービス提供サーバ５０は、受信したユーザ使用言語情報にもとづいて、携帯電話機１０のユーザの使用言語を特定する。また、Ｗｅｂサービス提供サーバ５０は、蓄積するＷｅｂページの情報のうち、特定したユーザの使用言語で記載されている情報を選択する。そして、Ｗｅｂサービス提供サーバ５０は、選択したＷｅｂページの情報を、無線基地局２０を介して携帯電話機１０に送信する（ステップＳ２５）。例えば、Ｗｅｂサービス提供サーバ５０は、ユーザ使用言語情報にもとづいてユーザの使用言語を日本語と特定すると、日本語で記載されているＷｅｂページの情報を選択し、携帯電話機１０に送信する。
【００６２】
携帯電話機１０は、受信したＷｅｂページの情報にもとづいて、Ｗｅｂページのメニュー画面を表示する。例えば、携帯電話機１０に係るサービス地域が日本国である場合、携帯電話機１０は、日本語で記載されているメニュー画面を表示する。
【００６３】
以上のように、本実施の形態によれば、情報管理サーバ４０は、携帯電話機１０から受信した端末電話番号にもとづいて携帯電話機１０に係るサービス地域や使用言語を自動的に特定し、対応する変換情報を携帯電話機１０に送信する。そして、携帯電話機１０は、受信した変換情報にもとづいて、時刻設定や通貨レートの変換、電話番号の変換を行う。従って、恰も自国で操作するのと同じ操作によって、ユーザが非サービス地域である渡航先で携帯電話機を用いることができる。
【００６４】
また、本実施の形態によれば、携帯電話機１０は、変換情報として受信した変換テーブルにもとづいて、公共サービス機関の電話番号を非サービス地域での電話番号に自動変換して発呼する。そのため、恰も自国での公共サービス機関の電話番号と同じ電話番号を用いて、ユーザが渡航先で公共サービス機関に電話をかけることができる。
【００６５】
また、本実施の形態によれば、Ｗｅｂサービス提供サーバ５０は、ユーザの使用言語で記載されたＷｅｂページの情報を自動選択して、携帯電話機１０にＷｅｂページの情報を送信する。そのため、ユーザが自国の言語で記載されたＷｅｂページを選択する操作を行わなくても、渡航先で携帯電話会社が提供するＷｅｂサービスを利用することができる。従って、渡航先でＷｅｂサービスを利用する際のユーザの手間を軽減することができる。
【００６６】
実施の形態２．
次に、本発明の第２の実施の形態を説明する。本実施の形態では、携帯電話機１０として、ＩＰｖ６規格を用いた移動型ＩＰ電話機を用いる点で、第１の実施の形態と異なる。また、本実施の形態では、携帯電話機１０は、端末電話番号の代わりに、携帯電話機１０のＩＰアドレスを、無線基地局２０を介して情報管理サーバ４０またはＷｅｂサービス提供サーバ５０に送信する。
【００６７】
情報管理サーバ４０の使用言語特定部４２は、情報受信部４１が受信したＩＰアドレスにもとづいて、携帯電話機１０に係るサービス地域を特定する。そして、使用言語特定部４２は、特定したサービス地域にもとづいて、ユーザの使用言語を特定する。また、登録情報データベース４４は、携帯電話機１０のＩＰアドレス、端末固有情報、サービス地域情報およびユーザ使用言語情報を対応付けて記憶する。
【００６８】
また、情報検索部４３は、端末電話番号の代わりに、Ｗｅｂサービス提供サーバ５０から受信したＩＰアドレスをキーとして登録情報データベース４４を検索する。そして、情報検索部４３は、ＩＰアドレスに対応するユーザ使用言語情報を登録情報データベース４４から抽出し、Ｗｅｂサービス提供サーバ５０に送信する。
【００６９】
なお、使用言語特定部４２、情報検索部４３および登録情報データベース４４以外の情報管理サーバ４０の構成要素およびＷｅｂサービス提供サーバ５０の機能は、第１の実施の形態におけるそれらの機能と同様である。
【００７０】
以上のように、本実施の形態によれば、携帯電話機１０から受信したＩＰアドレスにもとづいて携帯電話機１０に係るサービス地域や使用言語を自動的に特定する。そのため、移動型ＩＰ電話機を用いる場合であっても、恰も自国で操作するのと同じ操作によって、ユーザが渡航先で携帯電話機を用いることができる。また、検出された携帯電話機１０の位置情報にもとづいてユーザに対応する言語や情報を自動選択し、ユーザに提供することができる。
【産業上の利用可能性】
【００７１】
本発明は、海外で使用できる携帯電話機を渡航先に持ち込んで使用する場合に適用できる。特に、ユーザが携帯電話機を渡航先に持ち込んで使用する場合であっても、恰も自国で操作するのと同じ操作によって、ユーザが渡航先で携帯電話機を用いることができる。
【図面の簡単な説明】
【００７２】
【図１】本発明による携帯電話サービス提供システムを適用した渡航先での携帯電話機の使用環境の一例を示す説明図である。
【図２】情報管理サーバ４０の構成の一例を示すブロック図である。
【図３】変換情報データベース４５が記憶する変換テーブルの一例を示す説明図である。
【図４】情報管理サーバ４０が携帯電話機１０に変換情報を送信する情報送信処理、および携帯電話機１０が変換情報にもとづいて各種設定や変換を行う設定変換処理の一例を示す流れ図である。
【図５】携帯電話機１０からアクセスされた場合にＷｅｂページの情報を携帯電話機１０に送信する処理の一例を示す流れ図である。
【符号の説明】
【００７３】
１０  携帯電話機
２０  無線基地局
３０  交換局
４０  情報管理サーバ
４１  情報受信部
４２  使用言語特定部
４３  情報検索部
４４  登録情報データベース
４５  変換情報データベース
４６  変換情報抽出部
４７  情報送信部
５０  Ｗｅｂサービス提供サーバ
【図１】
2005328227.tif 000003
【図２】
2005328227.tif 000004
【図３】
2005328227.tif 000005
【図４】
2005328227.tif 000006
【図５】
2005328227.tif 000007